(57)【要約】【課題】コネクタホルダーとジャンクションボックスの結合部の変形や破損を防止する。【解決手段】縦方向に配置される高さの本体部の内面側には、前記電気接続箱とのロック部を設けていると共に該ロック部の上方位置に前記コネクタを含む電気接続部品とのロック部を備え、電気接続箱の上方に前記コネクタを含む小型の電気接続部品を配置する構成とし、前記本体部の左右方向の一方端に、前記電気接続箱に対する係止方向と直交方向に開口するＵ字型嵌合部を備え、該Ｕ字型嵌合部は前記電気接続箱より突設した第一壁への嵌合用とすると共に、前記本体部の左右方向の他方端側の内面には、前記電気接続箱に対する係止方向側に突設した嵌合部を備え、該嵌合部は前記電気接続箱より突設した外面矩形状の第二壁に対して突き当て嵌合用としている。【選択図】図１
2007282425.tif 000002
【特許請求の範囲】
【請求項１】
コネクタを含む複数の小型の電気接続部品を保持した状態で、電気接続箱の縦方向の外面に沿って装着されるコネクタホルダーであって、
前記コネクタホルダーの本体部には、前記電気接続箱とのロック部を設けていると共に該ロック部の上方位置に前記コネクタを含む電気接続部品とのロック部を備え、電気接続箱の上方に前記コネクタを含む小型の電気接続部品を配置する構成とし、前記本体部の左右方向の一方端に、前記電気接続箱に対する係止方向と直交方向に開口するＵ字型嵌合部を備え、該Ｕ字型嵌合部は前記電気接続箱より突設した第一壁への嵌合用とすると共に、前記本体部の左右方向の他方端側には、前記電気接続箱に対する係止方向側に突設した嵌合部を備え、該嵌合部は前記電気接続箱より突設した外面矩形状の第二壁に対して突き当て嵌合用としていることを特徴とするコネクタホルダー。
【請求項２】
前記嵌合部は先端に沿って段状突出部を備え、該段状突出部と前記本体部との間に前記第二壁を挟み込む構成としている請求項１に記載のコネクタホルダー。
【請求項３】
前記本体部の前記一方端または他方端には、さらに、縦方向に延在すると共に外面に円弧状凹部を縦方向に沿って設けた電線ガイド部を備え、該電線ガイド部には電線結束バンドの通し穴を設けている請求項１または請求項２に記載のコネクタホルダー。
【請求項４】
前記電気接続箱はジャンクションボックス、前記コネクタはショイントコネクタからなると共に他の小型の電気接続部品はマイクロＩＳＯリレーとカセットヒューザーからなり、ジョイントコネクタ、リレーブロック、カセットヒューザーの３部品を保持している請求項１乃至請求項３のいずれか１項に記載のコネクタホルダー。
【発明の詳細な説明】
【技術分野】
【０００１】
本発明は、ジャンクションボックスに組み付けるコネクタホルダーに関し、詳しくは、ジャンクションボックスの側面に取り付けられるコネクタホルダーの高さを大として、ジャンクションボックスの上方位置にコネクタ、リレーブロック、カセットヒューザー等からなる複数の小型の電気接続部品を保持するもので、該コネクタホルダーの安定性を高めると共に組付作業性を高めるものである。
【背景技術】
【０００２】
従来、自動車ワイヤハーネスに接続する複数のコネクタ等を収容保持して、電気接続箱や車体パネル等に固定するものとしてコネクタホルダーが用いられている。
例えば、実開昭６１−１３４６２９号公報（特許文献１）では、図９に示すように、ジョイントボックスに取り付けるアダプタが提供されている。前記ジョイントボックス１のケース外表面にサブヒューズボックス取付け部２が設けられており、サブヒューズボックス取付け部２にアダプタ３の抱き込み嵌合部４を挿入し、アダプタ３に設けられているコネクタ取付部５にコネクタ６を結合して、ジョイントボックス１にコネクタ６を取り付けるものである。
【０００３】
しかしながら、コネクタ６に接続するワイヤハーネスの配索スペースとの関係でコネクタ６の取付位置がサブヒューズボックス取付部２に対して上方となる場合、コネクタ６を取り付ける際にアダプタ３が幅方向に撓んでしまい、アダプタ３とジョイントボックス１の結合部分に応力が集中して、アダプタ３の抱き込み嵌合部４あるいはジョイントボックス１のサブヒューズボックス取付部２に亀裂や破損が生じる恐れがある。
また、アダプタ３をサブヒューズボックス取付部２に装着する際に、電線のガイド部を備えていないので、ジョイントボックス１と近接して配索されている電線を噛み込む危険性がある。
【０００４】
【特許文献１】実開昭６１−１３４６２９号公報
【発明の開示】
【発明が解決しようとする課題】
【０００５】
本発明は、前記問題に鑑みてなされたものであり、コネクタホルダーとジャンクションボックス等の電気接続箱との結合部の変形や破損を防止すると共に、電気接続箱とホルダーとの間のワイヤハーネスのかみこみを防止することを課題としている。
【課題を解決するための手段】
【０００６】
上記課題を解決するために、本発明は、コネクタを含む複数の小型の電気接続部品を保持した状態で、電気接続箱の縦方向の外面に沿って装着されるコネクタホルダーであって、
前記コネクタホルダーの本体部には、前記電気接続箱とのロック部を設けていると共に該ロック部の上方位置に前記コネクタを含む電気接続部品とのロック部を備え、電気接続箱の上方に前記コネクタを含む小型の電気接続部品を配置する構成とし、前記本体部の左右方向の一方端に、前記電気接続箱に対する係止方向と直交方向に開口するＵ字型嵌合部を備え、該Ｕ字型嵌合部は前記電気接続箱より突設した第一壁への嵌合用とすると共に、前記本体部の左右方向の他方端側には、前記電気接続箱に対する係止方向側に突設した嵌合部を備え、該嵌合部は前記電気接続箱より突設した外面矩形状の第二壁に対して突き当て嵌合用としていることを特徴とするコネクタホルダーを提供している。
【０００７】
前記構成とすると、コネクタを含む小型の電気接続部品がコネクタホルダー（以下、ホルダーと略称する）とジャンクションボックス等の電気接続箱との結合部分に対して上方に取り付けられたとしても、ホルダーの一方端のＵ字型嵌合部で接続箱の第一壁を嵌合していると共に、他方端の嵌合部で電気接続箱の第二壁を嵌合しているので、ホルダーが強固に電気接続箱に固定され、ホルダーの安定性を高めることができる。
従って、電気接続箱に固定したホルダーにコネクタを含む小型の電気接続部品を結合する際、ホルダーの幅方向に応力が負荷されても、ホルダーと電気接続箱とのロック部分における破損や亀裂を防止することができる。
また、ホルダーの不良品の発生を防止することができるため、品質の向上を図ることができる。
【０００８】
前記嵌合部は先端に沿って段状突出部を備え、該段状突出部と前記本体部との間に前記第二壁を挟み込む構成としているのが好ましい。
前記構成とすると、段状突出部と前記本体部との間に前記第二壁を挟み込んでいるので、ホルダーの幅方向の安定性がさらに高まり、ホルダーと電気接続箱とのロック部分の破損や亀裂を確実に防止することができる。
【０００９】
前記本体部の前記一方端または他方端には、さらに、縦方向に延在すると共に外面に円弧状凹部を縦方向に沿って設けた電線ガイド部を備え、該電線ガイド部には電線結束バンドの通し穴を設けているのが好ましい。
前記構成とすると、電気接続箱の近傍に配索されているワイヤハーネスを電線ガイド部に沿わせて位置決めしておくことで、ホルダーと電気接続箱との間にワイヤハーネスを噛み込むことを防止することができ、作業性が良くなるため、作業者の負担を削減することができる。
【００１０】
具体的には、前記電気接続箱はインストルメイントパネル内に配置するジャンクションボックスからなり、前記コネクタはジョイントコネクタからなると共に他の小型の電気接続部品はマイクロＩＳＯリレーとカセットヒューザーからなり、コネクタホルダーで、ジョイントコネクタ、マイクロＩＳＯリレー、カセットヒューザーの３部品を保持している。
【発明の効果】
【００１１】
前述したように、本発明によれば、コネクタ含む複数の小型の電気接続部品がホルダーに保持されて、ジャンクションボックス等の電気接続箱の上方に取り付けられたとしても、ホルダーが強固に電気接続箱に固定され、ホルダーの安定性を高めることができるので、電気接続箱に固定したホルダーにコネクタ等を結合する際に、ホルダーの幅方向に応力が負荷されてもホルダーと電気接続箱とのロック部分における破損や亀裂を防止することができる。
また、電気接続箱の近傍に配索されているワイヤハーネスを電線ガイド部に沿わせて位置決めしておくことで、ホルダーと電気接続箱との間にワイヤハーネスを噛み込むことを防止することができ、作業性が良くなるため、作業者の負担を削減することができる。
【発明を実施するための最良の形態】
【００１２】
本発明の実施形態を図面を参照して説明する。
図１乃至図７は本発明の第１実施形態を示す。
本発明のコネクタホルダー１０（以下、ホルダー１０と略す）は、図１および図２（Ａ）に示すように、車内に配索されているワイヤハーネスＷ／Ｈ１と接続しているカセットヒューザー２０とジョイントコネクタ３０とマイクロＩＳＯリレーからなるリレーブロック４０とからなる小型の電気接続部品を保持するものである。このホルダー１０はジャンクションボックス５０の外面に沿って縦方向に配置すると共に、ジャンクションボックス５０に近接して配索されているワイヤハーネスＷ／Ｈ２を固定保持する構成としている。
【００１３】
前記ジャンクションボックス５０の外側面５０ａには、図４に示すように、車体に固定する固定部５０ｂを設けており、前記固定部５０ｂから該固定部５０ｂを補強する第一壁５０ｃを突設している。
前記ジャンクションボックス５０の上面５０ｄの一方端の角部には矩形状の凹部５０ｅが設けられ、該凹部５０ｅの底面には、ジャンクションボックス５０底面に沿って配索されるワイヤハーネス（図示せず）のクランプ固定穴５０ｆが穿設されている。前記凹部５０ｅの周壁をクランプ固定穴５０ｆを保護する外面矩形状の第二壁５０ｇとし、該第二壁５０ｇの上端面５０ｈは後述するホルダー１０の嵌合部の下面と当接する。
前記固定部５０ｂと前記第二壁５０ｇとの間に位置する外側面５０ａには、該ホルダー１０を固定する一対の被ロック部５０ｉを設けている。
【００１４】
前記ホルダー１０は、図５に示すように、略矩形板状の本体部１１を備え、該本体部１１はジャンクションボックス５０側に配置される側を内側面１１ａとし内側面１１ａと反対側の面を外側面１１ｂとする。
【００１５】
前記本体部１１の左右方向の一方端には、前記内側面１１ａから突出した断面Ｕ字形状のＵ字型嵌合部１２を設けている。前記Ｕ字型嵌合部１２は、ジャンクションボックス５０との係止方向と直交する方向に開口１２ａを設けており、該開口１２ａの幅はジャンクションボックス５０の第一壁５０ｃを嵌合可能な幅としている。前記ホルダー１０をジャンクションボックス５０に取り付けると、図１に示すように、前記開口１２ａが前記ジャンクションボックス５０の第一壁５０ｃを嵌合する。
【００１６】
前記本体部１１の左右方向の他方端には、前記内側面１１ａから突出した平面視でＬ字形状の嵌合部１３を設けており、該嵌合部１３の下面１３ｂは前記第一壁５０ｃの上端面５０ｈへの突き当て面としている。
前記嵌合部１３は、先端に沿って下向きに段状突出部１３ａを突設しており、前記ホルダー１０を前記ジャンクションボックス５０に取り付けると、該段状突出部１３ａと前記本体部１１との間でジャンクションボックス５０の第二壁５０ｇを嵌合する。
【００１７】
前記本体部の他方端には外面に円弧状凹部１４ａを縦方向に沿って設けた電線ガイド部１４を備えている。前記電線ガイド部１４に隣接する前記本体部１１には、前記電線結束バンドＢを通すための矩形状の通し穴Ｈを設けている。前記ジャンクションボックス５０に近接して配索される前記ワイヤハーネスＷ／Ｈ２を、前記円弧状凹部１４ａに沿わせ、前記通し穴Ｈに挿通した前記電線結束バンドＢで前記電線ガイド部１４に固定する。
【００１８】
前記本体部１１の内側面１１ａの下部には、図６（Ａ）に示すように、一対のロック部１５、１５を備えており、ジャンクションボックス５０の被ロック部５０ｉとロック結合する。前記本体部１１の内側面１１ａ上部には、カセットヒューザー２０およびジョイントコネクタ３０と結合するロック部１６、１７を備えている一方、図７（Ｂ）に示すように、本体部１１の外側面中央にはリレーブロック４０と結合するロック部１８を設けている。
【００１９】
図２（Ｂ）に示すように、前記カセットヒューザー２０およびジョイントコネクタ３０と結合するロック部１６、１７とジャンクションボックス５０上面５０ｄとの間は、カセットヒューザー２０およびジョイントコネクタ３０に接続するワイヤハーネスＷ／Ｈ１が配索可能なスペースＳをあけている。
【００２０】
前記カセットヒューザー２０と結合する前記ロック部１６と前記ジャンクションボックス５０と結合する前記ロック部１５、１５との間の前記ホルダー１０の内側面１１ａには、ジャンクションボックス５０に当接する一対の当接リブ１９、１９を設けている。前記当接リブ１９、１９は、一対の突起１９ａ、１９ａが縦方向に延在しており、前記ホルダー１０を前記ジャンクションボックス５０に組み付けると、該突起１９ａ、１９ａがジャンクションボックス５０の外側面５０ａに密着する。
【００２１】
前記構成において、前記ホルダー１０と前記ジャンクションボックス５０との結合部分である前記ロック部１５と前記被ロック部５０ｉに対して、リレーブロック４０、カセットヒューザー２０およびジョイントコネクタ３０が上方に取り付けられる。この状態で、前記Ｕ字型嵌合部１２で前記ジャンクションボックス５０の第一壁５０ｃを嵌合していると共に、前記嵌合部１３で前記ジャンクションボックス５０の第二壁５０ｇを嵌合しているので、ホルダー１０の幅方向の撓みを防止することができ、ホルダー１０の安定性を高めることができる。
従って、前記ジャンクションボックス５０に固定した前記ホルダー１０にリレーブロック４０等を結合する際に、前記ホルダー１０の幅方向に応力が負荷されても、前記ホルダー１０と前記ジャンクションボックス５０とのロック部分における破損や亀裂を防止することができる。
【００２２】
図８は本発明の第２実施形態を示し、本実施形態のホルダー１０’は、嵌合部１３’を平面視でコの字型形状とし、前記嵌合部１３’の先端に沿って下向きに段状突出部１３ａ’が突設している。前記嵌合部１３’の下面１３ｂ’は前記第一壁５０ｃの上端面５０ｈに突き当てられると共に、該段状突出部１３ａ’と前記本体部１１との間でジャンクションボックス５０の第二壁５０ｇを嵌合する。
なお、他の構成および作用効果は第１実施形態と同様のため、同一の符号を付して説明を省略する。
【図面の簡単な説明】
【００２３】
【図１】本発明の第１実施形態を示す図であり、ホルダーの使用状態を示す斜視図である。
【図２】（Ａ）は図１の平面図、（Ｂ）は図１の右側面図である。
【図３】図１の背面図である。
【図４】図１のジャンクションボックスを示す平面図である。
【図５】第１実施形態に係るホルダーを示す斜視図である。
【図６】図５のホルダーを示す図で、（Ａ）は正面図、（Ｂ）は平面図である。
【図７】図５のホルダーを示す図で、（Ａ）は右側面図、（Ｂ）は背面図である。
【図８】第２実施形態を示す斜視図である。
【図９】従来例の図である。
【符号の説明】
【００２４】
１０  ホルダー
１１  本体部
１２  Ｕ字型嵌合部
１３  嵌合部
１４  電線ガイド部
１５  ジャンクションボックスとのロック部
１６  カセットヒューザーとのロック部
１７  ジョイントコネクタとのロック部
１８  リレーブロックとのロック部
２０  カセットヒューザー
３０  ジョイントコネクタ
４０  リレーブロック
５０  ジャンクションボックス
５０ａ  外側面
５０ｃ  第一壁
５０ｇ  第二壁
Ｗ／Ｈ１  ワイヤハーネス
Ｂ  電線結束バンド
Ｈ  通し穴
【図１】
2007282425.tif 000003
【図２】
2007282425.tif 000004
【図３】
2007282425.tif 000005
【図４】
2007282425.tif 000006
【図５】
2007282425.tif 000007
【図６】
2007282425.tif 000008
【図７】
2007282425.tif 000009
【図８】
2007282425.tif 000010
【図９】
2007282425.tif 000011